(57)【要約】【課題】組立作業性を低下させることなく外観品位を向上できる胴枠梱包部材およびその胴枠梱包部材を用いた梱包装置を提供することにある。【解決手段】上部開口６と下部開口７を有する断面略四角形の筒状の胴枠梱包部材３であって、上部開口６の開口面積が下部開口７の開口面積よりも小さくする。この胴枠梱包部材３によって室外機１０の側方を囲う。【選択図】図３
2007197025.tif 000002
【特許請求の範囲】
【請求項１】
被梱包物(１０)の側方を囲うと共に、上部開口(６)と下部開口(７)を有する断面略四角形の筒状であって、
上記上部開口(６)の開口面積が上記下部開口(７)の開口面積よりも小さいことを特徴とする胴枠梱包部材。
【請求項２】
請求項１に記載の胴枠梱包部材において、
台形形状の４つの側板(３a〜３d)を有し、
上記台形形状の４つの側板(３a〜３d)は、互いに平行な１対の底辺の短い方が上記上部開口(６)側となり長い方が上記下部開口(７)側となると共に、他の一対の辺を連結部にして環状に連結されていることよって上記被梱包物(１０)の側方を囲う断面略四角形の筒体を形成することを特徴とする胴枠梱包部材。
【請求項３】
請求項２に記載の胴枠梱包部材において、
上記環状に連結された上記４つの側板(３a〜３d)は、対向する一対の連結部で折り曲げてたたむことによって略同一平面になる構造をしていることを特徴とする胴枠梱包部材。
【請求項４】
請求項２に記載の胴枠梱包部材において、
上記４つの側板(４a〜４d)の少なくとも１つの上辺から延び、その側板(４a〜４d)の上辺部分で折り曲げられて上記上部開口(６)を蓋する蓋部(５a〜５d)を設けたことを特徴とする胴枠梱包部材。
【請求項５】
請求項４に記載の胴枠梱包部材において、
上記環状に連結された上記４つの側板(４a〜４d)は、上記蓋部(５a〜５d)とその蓋部が上辺で連結された側板とが同一平面になるようにした状態で、対向する一対の連結部で折り曲げてたたむことによって略同一平面になる構造をしていることを特徴とする胴枠梱包部材。
【請求項６】
請求項１乃至３のいずれか１つに記載の胴枠梱包部材と、
上記被梱包物(１０)の下側に装着される下部梱包部材(１)と、
上記被梱包物(１０)の上側に装着される上部梱包部材(２)と
を備え、
上記被梱包物(１０)の下側に上記下部梱包部材(１)が装着され、上記被梱包物(１０)の上側に上記上部梱包部材(２)が装着された状態で、上記被梱包物(１０)と上記下部梱包部材(１)および上記上部梱包部材(２)の側方を、上記下部開口(７)側を下方に向けた上記胴枠梱包部材(３)によって囲うことを特徴とする梱包装置。
【請求項７】
請求項４または５に記載の胴枠梱包部材と、
上記被梱包物(１０)の下側に装着される下部梱包部材(１)と、
上記被梱包物(１０)の下側に上記下部梱包部材(１)が装着された状態で、上記被梱包物(１０)と上記下部梱包部材(１)の側方を、上記下部開口側を下方に向けた上記胴枠梱包部材によって囲うと共に、
上記胴枠梱包部材の上記４つの側板(４a〜４d)の少なくとも１つの上辺から延びる上記蓋部(５a〜５d)を、その側板の上辺部分で折り曲げることによって、上記胴枠梱包部材(４)の上記上部開口を蓋することを特徴とする梱包装置。
【発明の詳細な説明】
【技術分野】
【０００１】
この発明は、胴枠梱包部材およびその胴枠梱包部材を用いた梱包装置に関する。
【背景技術】
【０００２】
従来、梱包装置としては、底板上に室外機を載置し、その室外機上に、上部緩衝体を配置して、下側が開口した箱形状の外装ケースを上部緩衝体が載った室外機に覆い被せたものがある(例えば、特開平１１−２３６０８８号公報(特許文献１)参照)。
【０００３】
また、このような梱包装置として、図１０〜図１２に示すように、下部梱包部材１０１と上部梱包部材１０２および胴枠梱包部材で室外機１０を覆うものがある。図１０,図１１は、室外機１０が載置された下部梱包部材１０１と、室外機１０上に載置された上部梱包部材１０２とを示している。また、上部梱包部材１０２が載った室外機１０上に、胴枠梱包部材１０３を覆い被せた後、下部梱包部材１０１と上部梱包部材１０２および胴枠梱包部材１０３で覆われた室外機１０の周囲を結束バンド１２１,１２２,１２３により結束する。
【０００４】
図１０〜図１２に示す梱包装置では、組立作業性を確保するため、胴枠梱包部材の内寸法が大きめに設計されている。この胴枠梱包部材の内側と上部梱包部材の外側との間に隙間が生じるため、上部梱包部材と下部梱包部材および胴枠梱包部材で覆われた室外機の周囲を結束バンドにより結束するとき、結束バンドが当たる角部分が歪んで、外観品位が損なわれるという問題がある。
【特許文献１】特開平１１−２３６０８８号公報
【発明の開示】
【発明が解決しようとする課題】
【０００５】
そこで、この発明の課題は、組立作業性を低下させることなく外観品位を向上できる胴枠梱包部材およびその胴枠梱包部材を用いた梱包装置を提供することにある。
【課題を解決するための手段】
【０００６】
上記課題を解決するため、この発明の胴枠梱包部材は、
被梱包物の側方を囲うと共に、上部開口と下部開口を有する断面略四角形の筒状であって、
上記上部開口の開口面積が上記下部開口の開口面積よりも小さいことを特徴とする。
【０００７】
上記構成の胴枠梱包部材によれば、下部開口を下に向けた断面略四角形の筒状の胴枠梱包部材を被梱包物の上方から覆い被せて、被梱包物の側方を囲う。このとき、上部開口の開口面積が上記下部開口の開口面積よりも小さくしているので、例えば、被梱包物に上部梱包部材や緩衝部材等を載置している場合、この胴枠梱包部材を被梱包物の上方から被せやすく、胴枠梱包部材の内側と上部梱包部材や緩衝部材等の外側との間に隙間が生じないようにすることが可能となる。したがって、組立作業性を低下させることなく外観品位を向上できる。
【０００８】
また、一実施形態の胴枠梱包部材は、
台形形状の４つの側板を有し、
上記台形形状の４つの側板は、互いに平行な１対の底辺の一方が上記上部開口側となり他方が上記下部開口側となると共に、他の一対の辺を連結部にして環状に連結されていることよって上記被梱包物の側方を囲う断面略四角形の筒体を形成する。
【０００９】
上記実施形態の胴枠梱包部材によれば、台形形状の４つの側板が、互いに平行な１対の底辺の一方が上記上部開口側となり他方が上記下部開口側となると共に、他の一対の辺を連結部にして環状に連結されていることよって、上記被梱包物の側方を囲う断面略四角形の筒体の胴枠梱包部材を容易に形成できる。
【００１０】
また、一実施形態の胴枠梱包部材は、
上記環状に連結された上記４つの側板は、対向する一対の連結部で折り曲げてたたむことによって略同一平面になる構造をしている。
【００１１】
上記実施形態の胴枠梱包部材によれば、上記環状に連結された４つの側板は、対向する一対の連結部で略同一平面になるように折り曲げてたたむことによって、多数の胴枠梱包部材を、折り畳んだコンパクトな状態にして運搬や保管ができ、運搬コストや保管コストを低減できる。
【００１２】
また、一実施形態の胴枠梱包部材は、
上記４つの側板の少なくとも１つの上辺から延び、その側板の上辺部分で折り曲げられて上記上部開口を蓋する蓋部を有する。
【００１３】
上記実施形態の胴枠梱包部材によれば、４つの側板の少なくとも１つの上辺から延びた蓋部が、その側板の上辺部分で折り曲げられて上部開口を蓋するので、被梱包物に載置する上部梱包部材等が不要になる。
【００１４】
また、一実施形態の胴枠梱包部材は、
上記環状に連結された上記４つの側板は、蓋部とその蓋部が上辺で連結された側板とが同一平面になるようにした状態で、対向する一対の連結部で折り曲げてたたむことによって略同一平面になる構造をしている。
【００１５】
上記実施形態の胴枠梱包部材によれば、上記環状に連結された４つの側板は、蓋部とその蓋部が上辺で連結された側板とが同一平面になるようにした状態で、対向する一対の連結部で略同一平面になるように折り曲げてたたむことによって、多数の胴枠梱包部材を、折り畳んだコンパクトな状態にして運搬や保管ができ、運搬コストや保管コストを低減できる。
【００１６】
また、この発明の梱包装置は、
上記胴枠梱包部材と、
上記被梱包物の下側に装着される下部梱包部材と、
上記被梱包物の上側に装着される上部梱包部材と
を備え、
上記被梱包物の下側に上記下部梱包部材が装着され、上記被梱包物の上側に上記上部梱包部材が装着された状態で、上記被梱包物と上記下部梱包部材および上記上部梱包部材の側方を、上記下部開口側を下方に向けた胴枠梱包部材によって囲うことを特徴とする。
【００１７】
上記構成の梱包装置によれば、上記被梱包物の下側に下部梱包部材が装着され、その被梱包物の上側に上部梱包部材が装着された状態で、下部開口側を下方に向けた胴枠梱包部材を上方から覆い被せて、被梱包物と下部梱包部材および上部梱包部材の側方を胴枠梱包部材により囲うことによって、組立作業性を低下させることなく外観品位を向上できる。
【００１８】
また、この発明の梱包装置は、
上記蓋部を有する胴枠梱包部材と、
上記被梱包物の下側に装着される下部梱包部材と、
上記被梱包物の下側に上記下部梱包部材が装着された状態で、上記被梱包物と上記下部梱包部材の側方を、上記下部開口側を下方に向けた上記胴枠梱包部材によって囲うと共に、
上記胴枠梱包部材の上記４つの側板の少なくとも１つの上辺から延びる上記蓋部を、その側板の上辺部分で折り曲げることによって、上記胴枠梱包部材の上記上部開口を蓋することを特徴とする。
【００１９】
上記構成の梱包装置によれば、上記被梱包物の下側に下部梱包部材が装着された状態で、下部開口側を下方に向けた胴枠梱包部材を上方から覆い被せて、被梱包物および下部梱包部材の側方を胴枠梱包部材により囲うことによって、組立作業性を低下させることなく外観品位を向上できる。
【発明の効果】
【００２０】
以上より明らかなように、この発明の胴枠梱包部材によれば、組立作業性を低下させることなく外観品位を向上できる。
【００２１】
また、一実施形態の胴枠梱包部材によれば、台形形状の４つの側板が、互いに平行な１対の底辺の一方が上部開口側となり他方が下部開口側となると共に、他の一対の辺を連結部にして環状に連結されていることよって、被梱包物の側方を囲う断面略四角形の筒体の胴枠梱包部材を容易に形成することができる。
【００２２】
また、一実施形態の胴枠梱包部材によれば、上記環状に連結された４つの側板は、対向する一対の連結部で略同一平面になるように折り曲げてたたむことによって、多数の胴枠梱包部材を、折り畳んだコンパクトな状態にして運搬や保管ができ、運搬コストや保管コストを低減することができる。
【００２３】
また、一実施形態の胴枠梱包部材によれば、４つの側板の少なくとも１つの上辺から延びた蓋部が、その側板の上辺部分で折り曲げられて上部開口を蓋するので、被梱包物に載置する上部梱包部材等が不要になり、コストを低減することができる。
【００２４】
また、一実施形態の胴枠梱包部材によれば、上記環状に連結された４つの側板は、蓋部とその蓋部が上辺で連結された側板とが同一平面になるようにした状態で、対向する一対の連結部で略同一平面になるように折り曲げてたたむことによって、多数の胴枠梱包部材を、折り畳んだコンパクトな状態にして運搬や保管ができ、運搬コストや保管コストを低減することができる。
【００２５】
また、この発明の梱包装置によれば、被梱包物の下側に下部梱包部材が装着され、その被梱包物の上側に上部梱包部材が装着された状態で、下部開口側を下方に向けた胴枠梱包部材を覆い被せて、被梱包物と下部梱包部材および上部梱包部材の側方を胴枠梱包部材により囲うことによって、組立作業性を低下させることなく外観品位を向上できる。
【００２６】
また、この発明の梱包装置によれば、被梱包物の下側に下部梱包部材が装着された状態で、下部開口側を下方に向けた胴枠梱包部材を覆い被せて、被梱包物および下部梱包部材の側方を胴枠梱包部材により囲うと共に、上記４つの側板の少なくとも１つの上辺から延びる上記蓋部を、その側板の上辺部分で折り曲げて、胴枠梱包部材の上部開口を蓋することによって、組立作業性を低下させることなく外観品位を向上できる。
【発明を実施するための最良の形態】
【００２７】
以下、この発明の胴枠梱包部材および梱包装置を図示の実施の形態により詳細に説明する。
【００２８】
（第１実施形態）
図１はこの発明の第１実施形態の梱包装置の下部梱包部材１と上部梱包部材２および被梱包物の一例としての空気調和機の室外機１０の斜視図を示している。
【００２９】
この第１実施形態の梱包装置は、紙段ボール製の下部梱包部材１と上部梱包部材２および胴枠梱包部材３(図３に示す)を備えている。下部梱包部材１は、室外機１０の下部に配置される長方形状の底板１aと、その底板１aの周縁から上方に向かって延びる下側板１bとを有している。また、上部梱包部材２は、室外機１０の上部に配置される長方形状の天板２aと、その天板２aの周縁から下方に向かって延びる上側板２bとを有している。
【００３０】
図２は上記下部梱包部材１と上部梱包部材２および室外機１０を組み合わせた状態の斜視図を示している。図２に示すように、下部梱包部材１の下側板１bで形成された凹部内に室外機１０の底部を載置している。上記下部梱包部材１の下側板１bで形成された凹部内には、衝撃などから室外機１０を保護して支える緩衝部材(図示せず)を装着している。また、室外機１０の上部を、上部梱包部材２の上側板２bで形成された凹部内に嵌め込んでいる。この上部梱包部材２の上側板２bで形成された凹部内にも、衝撃などから室外機１０を保護するための緩衝部材(図示せず)を装着している。
【００３１】
また、図３は図２に示す下部梱包部材１と上部梱包部材２および室外機１０を組み合わせたものに胴枠梱包部材３を覆い被せるときの状態を説明するための斜視図を示している。
【００３２】
図３に示す胴枠梱包部材３は、室外機１０の側方を囲うと共に、上部開口６と下部開口７を有する断面略四角形の筒状をしている。上記胴枠梱包部材３は、上部開口６の開口面積が下部開口７の開口面積よりも小さくなっているが、下部開口７の開口面積は、胴枠梱包部材３を室外機１０の上方から被せやすい大きさにしている。
【００３３】
また、図４は上記下部梱包部材１と上部梱包部材２および室外機１０の周囲を胴枠梱包部材３により囲んだ梱包装置の斜視図を示している。上記胴枠梱包部材３の上部開口６の開口面積が下部開口７の開口面積よりも小さくすることによって、図４に示すように、胴枠梱包部材３の内側と上部梱包部材２の外側との間に隙間が生じないようにしている。
【００３４】
そして、図５に示すように、図４に示す梱包装置により梱包された室外機１０を結束バンド２１,２２,２３により結束した状態を示している。
【００３５】
また、図６は上記胴枠梱包部材３の平面と正面と右側面と左側面および背面を示している。図６に示すように、胴枠梱包部材３は、側面視が夫々台形形状の第１側板３aと第２側板３bと第３側板３cおよび第４側板３dを有している。
【００３６】
上記第１側板３aは、互いに平行な１対の底辺の一方が上部開口６側となり他方が下部開口７側となると共に、他の一対の辺の一方が底辺に対して略直角であり他方が上部開口６側から下部開口７側に向かって傾斜している。
【００３７】
また、上記第２側板３bは、互いに平行な１対の底辺の一方が上部開口６側となり他方が下部開口７側となると共に、他の一対の辺の一方が底辺に対して略直角であり他方が上部開口６側から下部開口７側に向かって傾斜している。この台形形状の第２側板３bの底辺に対して略直角な辺が、第１側板３aの傾斜している辺と連結している。
【００３８】
また、上記第３側板３cは、互いに平行な１対の底辺の一方が上部開口６側となり他方が下部開口７側となると共に、他の一対の辺の一方が底辺に対して略直角であり他方が上部開口６側から下部開口７側に向かって傾斜している。この台形形状の第３側板３cの傾斜している辺が、第２側板３bの傾斜している辺と連結している。
【００３９】
さらに、上記第４側板３dは、互いに平行な１対の底辺の一方が上部開口６側となり他方が下部開口７側となると共に、他の一対の辺の一方が底辺に対して略直角であり他方が上部開口６側から下部開口７側に向かって傾斜している。この台形形状の第４側板３dの傾斜している辺が、第１側板３aの底辺に対して略直角な辺と連結している。この台形形状の第４側板３dの底辺に対して略直角な辺が、第１側板３aの底辺に対して略直角な辺と連結している。
【００４０】
このようにして、第１側板３aと第２側板３bと第３側板３cおよび第４側板３dを環状に連結することよって、室外機１０の側方を囲う断面略四角形の筒状の胴枠梱包部材３を形成する。
【００４１】
なお、図６において、台形形状の第１側板３aと第２側板３bと第３側板３cおよび第４側板３dの互いに平行な１対の底辺の寸法差Ｌは、被梱包物の形状や大きさに応じて適宜設定するものであるが、図６では、図を分かり易くするために寸法差Ｌを大きくとっている。
【００４２】
また、図７は上記胴枠梱包部材３を折り畳んだ状態を正面側(第３側板３c)と右側面側(第２側板３b)から見た図である。図７に示すように、上記胴枠梱包部材３の環状に連結された４つの第１〜第４側板３a〜３dは、対向する一対の連結部で折り曲げてたたむことによって略同一平面になる構造をしている。つまり、対向する一対の連結部で互いに連結された第１,第２側板３a,３b同士および第３,第４側板３c,３d同士が折重なるように、かつ、他の一対の連結部で互いに連結された第２,第３側板３b,３c同士および第１,第４側板３a,３d同士が同一平面になるように折りたたんでいる。
【００４３】
これによって、多数の胴枠梱包部材３を、折り畳んだコンパクトな状態にして運搬や保管ができ、運搬コストや保管コストを低減することができる。
【００４４】
上記室外機１０の下側に下部梱包部材１が装着され、その室外機１０の上側に上部梱包部材２が装着された状態で、下部開口７側を下方に向けた胴枠梱包部材３を上方から覆い被せて、室外機１０と下部梱包部材１および上部梱包部材２の側方を胴枠梱包部材３により囲う。これによって、この胴枠梱包部材３の内側と上部梱包部材２の外側との間に隙間が生じないため、下部梱包部材１と上部梱包部材２および胴枠梱包部材３で覆われた室外機１０の周囲を結束バンド２１〜２２により結束するとき、結束バンド２１〜２２が当たる角部分が歪まないようにできる。したがって、組立作業性を低下させることなく外観品位を向上できる。
【００４５】
（第２実施形態）
図８はこの発明の第２実施形態の蓋部付きの胴枠梱包部材４の平面と正面と右側面と左側面および背面を示している。この第２実施形態の胴枠梱包部材４は、蓋部５a〜５dを除いて第１実施形態の胴枠梱包部材３と同一の構成をしている。
【００４６】
図８に示すように、胴枠梱包部材４は、側面視が台形形状の第１側板４aと第２側板４bと第３側板４cおよび第４側板４dを有している。上記４つの第１〜第４側板４a〜４dの夫々の上辺から延びる蓋部５a〜５dを設けている。上記蓋部５a〜５dは、夫々、第１〜第４側板４a〜４dの上辺部分で折り曲げられて上部開口６を蓋する。
【００４７】
図９は図８に示す胴枠梱包部材４が折りたたまれた状態を正面側(第３側板４c)と右側面側(第２側板４b)から見た図である。図９に示すように、環状に連結された４つの第１〜第４側板４a〜３dは、蓋部５aとその蓋部５aが上辺で連結された第１側板４aとが同一平面になるようにし、蓋部５bとその蓋部５bが上辺で連結された第２側板４bとが同一平面になるようにし、蓋部５cとその蓋部５cが上辺で連結された第３側板４cとが同一平面になるようにし、さらに、蓋部５dとその蓋部５dが上辺で連結された第４側板４dとが同一平面になるようにする。そうして、上記胴枠梱包部材４の環状に連結された４つの第１〜第４側板４a〜４dは、蓋部５a〜５dとその蓋部５a〜５dが上辺で連結された側板５a〜５dとが同一平面になるようにした状態で、対向する一対の連結部で折り曲げてたたむことによって略同一平面になる構造をしている。つまり、対向する一対の連結部で互いに連結された第１,第２側板４a,４b同士および第３,第４側板４c,４d同士が折重なるように、かつ、他の一対の連結部で互いに連結された第２,第３側板４b,４c同士および第１,第４側板４a,４d同士が同一平面になるように折りたたんでいる。
【００４８】
これによって、多数の胴枠梱包部材４を、折り畳んだコンパクトな状態にして運搬や保管ができ、運搬コストや保管コストを低減することができる。
【００４９】
上記胴枠梱包部材４と第１実施形態の下部梱包部材１を用いた梱包装置により、室外機１０を梱包する。すなわち、室外機１０の下側に下部梱包部材１が装着された状態で、下部開口７側を下方に向けた胴枠梱包部材４を上方から覆い被せて、室外機１０および下部梱包部材３の側方を胴枠梱包部材４により囲う。これによって、この胴枠梱包部材４の内側と上部梱包部材２の緩衝部材等の外側との間に隙間が生じないため、第１実施形態と同様に、下部梱包部材１および胴枠梱包部材３で覆われた室外機１０の周囲を結束バンド２１〜２２により結束するとき、結束バンド２１〜２２が当たる角部分が歪まないようにできる。したがって、組立作業性を低下させることなく外観品位を向上できる。
【００５０】
上記第１,第２実施形態では、被梱包物として室外機１０を梱包するための胴枠梱包部材およびそれを用いた梱包装置について説明したが、被梱包物はこれに限らず、他の機器の梱包にこの発明を適用してもよい。
【００５１】
また、上記第１,第２実施形態では、下部梱包部材１と上部梱包部材２および胴枠梱包部材３,４に紙段ボールを用いたが、樹脂段ボール製の下部梱包部材と上部梱包部材および胴枠梱包部材であってもよい。
【図面の簡単な説明】
【００５２】
【図１】図１はこの発明の実施の一形態の梱包装置の下部梱包部材と上部梱包部材および被梱包物としての空気調和機の室外機を示す斜視図である。
【図２】図２は上記下部梱包部材と上部梱包部材および室外機を組み合わせた状態を示す斜視図である。
【図３】図３は胴枠梱包部材を覆い被せるときの状態を説明するための斜視図である。
【図４】図４は上記下部梱包部材と上部梱包部材および室外機の周囲を胴枠梱包部材により囲んだ梱包装置を示す斜視図である。
【図５】図５は図４に示す梱包装置により梱包された室外機を結束バンドにより結束した状態を示す斜視図である。
【図６】図６は上記胴枠梱包部材の平面と正面と右側面と左側面および背面を示す図である。
【図７】図７は上記胴枠梱包部材を折り畳んだ状態を正面側と右側面側から見た図である。
【図８】図８は蓋部付きの胴枠梱包部材の平面と正面と右側面と左側面および背面を示す図である。
【図９】図９は図８に示す胴枠梱包部材が折りたたまれた状態を正面側と右側面側から見た図である。
【図１０】図１０は従来の梱包装置の下部梱包部材と上部梱包部材および被梱包物としての室外機を示す斜視図である。
【図１１】図１１は上記下部梱包部材と上部梱包部材および室外機を組み合わせた状態を示す斜視図である。
【図１２】図１２は図１１に示す梱包装置により梱包された室外機を結束バンドにより結束した状態を示す斜視図である。
【符号の説明】
【００５３】
１…下部梱包部材
２…上部梱包部材
３,４…胴枠梱包部材
３a,４a…第１側板
３b,４b…第２側板
３c,４c…第３側板
３d,４d…第４側板
５a…第１蓋部
５b…第２蓋部
５c…第３蓋部
５d…第４蓋部
６…上部開口
７…下部開口
１０…室外機
２１,２２,２３…結束バンド
【図１】
2007197025.tif 000003
【図２】
2007197025.tif 000004
【図３】
2007197025.tif 000005
【図４】
2007197025.tif 000006
【図５】
2007197025.tif 000007
【図６】
2007197025.tif 000008
【図７】
2007197025.tif 000009
【図８】
2007197025.tif 000010
【図９】
2007197025.tif 000011
【図１０】
2007197025.tif 000012
【図１１】
2007197025.tif 000013
【図１２】
2007197025.tif 000014